【誤訳訂正書】
【提出日】平成20年3月11日(2008.3.11)
【誤訳訂正１】
【訂正対象書類名】明細書
【訂正対象項目名】全文
【訂正方法】変更
【訂正の内容】
【書類名】  明細書
【発明の名称】  圧力面をクッションする装置
【特許請求の範囲】
【請求項１】  乳房Ｘ線撮影ユニット（１０）のための圧縮装置（６０）であって、
少なくとも一つの表面を有する放射線透過性のパッド要素（６１）を備え、上記パッド要素は、使用中に乳房Ｘ線撮影写真上に有意の可視のアーチファクトを形成しないＸ線透過性のフォウムパッドからなり、
また、少なくとも一つの表面を上記乳房Ｘ線撮影ユニット（１０）の圧縮表面に取り外し可能に取り付けるための手段（６２）と
を備える乳房Ｘ線撮影ユニット（１０）のための圧縮装置（６０）。
【請求項２】  請求項１に記載の圧縮装置（６０）において、
上記乳房Ｘ線撮影ユニット（１０）のＸ線領域に患者と接触する表面を有する圧縮板（１４,１５,４１）を更に備え、
上記放射線透過性のパッド要素（６１）は、上記患者と接触する表面に取り外し可能に取り付けられることを特徴とする圧縮装置（６０）。
【請求項３】  請求項２に記載の圧縮装置（６０）において、上記第１の圧縮板は、乳房Ｘ線撮影パドルから成ることを特徴とする圧縮装置（６０）。
【請求項４】  請求項２に記載の圧縮装置（６０）において、上記第２の圧縮板は、ブッキーから成ることを特徴とする圧縮装置（６０）。
【請求項５】  請求項２に記載の圧縮装置（６０）において、上記放射線透過性のパッド要素（６１）を上記圧縮板の複数の表面を覆うようにしばりつけておくために、上記放射線透過性のパッド要素（６１）は折り目を付けられることを特徴とする圧縮装置（６０）。
【請求項６】  請求項１乃至５のいずれか１つに記載の圧縮装置（６０）において、上記取り外し可能に取り付けるための手段（６２）は、上記放射線透過性のパッド要素（６１）の上記少なくとも一つの表面上の接着層（６２）から成ることを特徴とする圧縮装置（６０）。
【請求項７】  請求項６に記載の圧縮装置（６０）において、上記接着層（６２）から取り外しできるはがし紙（６３）を更に備えることを特徴とする圧縮装置（６０）。
【請求項８】  請求項６または７に記載の圧縮装置（６０）において、上記接着層（６２）は、上記圧縮表面から取り除かれたとき認識できる残余部分を残さず、かつ、上記圧縮表面に付着物を固定する充分な粘着性を有する圧力過敏性の接着物から成ることを特徴とする圧縮装置（６０）。
【請求項９】  請求項６乃至８のいずれか１つに記載の圧縮装置（６０）において、
上記接着層（６２）は、
上記接着層（６２）を上記放射線透過性のパッド要素（６２）に固定する恒久的な接着物と、
上記接着層（６２）を上記圧縮表面に固定する取りはずしできる接着物と
を備えることを特徴とする圧縮装置（６０）。
【請求項１０】  請求項１または２に記載の圧縮装置（６０）において、上記取り外し可能に取り付けるための手段（６２）は、上記放射線透過性パッド要素（６１）の少なくとも一つの表面と上記圧縮表面との間に界面を備えることを特徴とする圧縮装置（６０）。
【請求項１１】  請求項１０に記載の圧縮装置（６０）において、上記少なくとも一つの表面は、上記少なくとも一つの表面の摩擦係数を増大させるためにテクスチャー加工されていることを特徴とする圧縮装置（６０）。
【請求項１２】  請求項１乃至１１のいずれか１つに記載の圧縮装置（６０）において、上記放射線透過性のパッド要素（６１）は、ポリウレタンフォームから成ることを特徴とする圧縮装置（６０）。
【請求項１３】  請求項１２に記載の圧縮措置（６０）において、上記放射線透過性のパッド要素（６１）は、オープンセルフォームから成ることを特徴とする圧縮装置（６０）。
【請求項１４】  請求項１乃至１３のいずれか１つに記載の圧縮装置（６０）において、上記放射線透過性のパッド要素（６１）は、定位の使用のための窓を備えることを特徴とする圧縮装置（６０）。
【請求項１５】  乳房Ｘ線撮影ユニット（１０）を使用するための方法であって、
乳房Ｘ線撮影手続の前に、乳房Ｘ線撮影ユニット（１０）のＸ線領域で圧縮板（１４,１５）の患者と接触する表面に放射線透過性のパッド要素（６１）を取り付ける工程を備え、上記放射線透過性のパッド要素（６１）は、上記患者と接触する表面に取り外し可能に固定されており、上記パッド要素は、使用中に乳房Ｘ線撮影写真上に有意の可視のアーチファクトを形成しないＸ線透過性のフォウムパッドからなり、
また、上記乳房Ｘ線撮影手続の後に、上記患者と接触する表面から上記放射線透過性のパッド要素（６１）を取り除く工程を備えた乳房Ｘ線撮影ユニット（１０）を使用するための方法。
【請求項１６】  請求項１５に記載の方法において、上記取り付け工程は、上記放射線透過性のパッド要素（６１）上の接着層（６２）を、上記患者と接触する表面に取り付けることから成ることを特徴とする方法。
【請求項１７】  請求項１６に記載の方法において、上記取り付け工程は、上記接着層（６２）をさらすために、上記接着層（６２）を上記患者と接触する表面に取り付ける前に、上記放射線透過性のパッド要素（６１）からはがし紙（６３）を取り除くことを更に備えることを特徴とする方法。
【請求項１８】  請求項１６または１７に記載の方法において、上記放射線透過性のパッド要素（６１）が取り除かれた後、上記接着層（６２）は、上記患者と接触する表面に認識できる残余物を残さないことを特徴とする方法。
【請求項１９】  請求項１５に記載の方法において、上記取り付け工程は、上記放射線透過性のパッド要素（６１）を上記圧縮板（１４,１５）の前部または側部表面にしばりつけることを備えることを特徴とする方法。
【発明の詳細な説明】
【０００１】
【従来技術】
この発明は、一般的に医療装置および医療方法に関し、特に、Ｘ線フィルム、例えば、乳房Ｘ線撮影（mammography）や圧縮組織の他の体内放射能分布写真を得る目的のために、本体部分に適用される圧縮板の表面をクッションしたりまたは圧縮板の表面にパッドをする装置および方法に関する。
【０００２】
一般に、乳房Ｘ線撮影を行う場合には、患者の乳房は、乳房Ｘ線撮影マシンに取り付けられた対向板によって圧縮下される。そして、圧縮下において、Ｘ線が、乳房の組織に疑わしい障害（例えば、石灰沈着（calcification)や腫瘍(tumors)等）が存在するかしないかを決定するために取られる。潜在患者の５０％の承諾率が得られたとしてで評価すると、近似的に、年間２５００万回の乳房Ｘ線撮影が行われる。しかしながら、これは、全ての潜在患者が、推奨された診察に応じたとしたならば、数が２倍になるだろうけれども。乳房が撮影される患者が有する最も大きな不満の一つは、乳房の圧縮中の不快感である。ほとんどの患者は、１０−１１圧縮ユニット（compression unit）までしか我慢できない。治療乳房Ｘ線撮影に対する現在の法律上の上限は、１６−１８圧縮ユニットである。不快感の軽減を行う装置は、治療の応諾率を上昇させることができるだろう。
【０００３】
乳房Ｘ線撮影中、乳房の圧縮を行うことの重要な理由は、組織のより薄い部分の断面を提供することであり、これによりＸ線が組織を通過することができるようになる。乳房が圧縮されたなら、Ｘ線写真は、患者へのＸ線輻射の可能性をより少なくした状態で、組織異常の最適な画像を提供する。更に、乳房Ｘ線撮影の最中、Ｘ線板が放射線透過性の物質に束縛されないことが重要であり、その結果診断フィルムがもし取られたならば、一度処理されれば、組織およびいかなる異常についての最適な写真を医師に提供できる。
【０００４】
患者は、圧縮中、痛みを我慢するかもしれないけれども、より高い圧力を使用することによって、よりよい診察結果を提供する改良された装置およびテクニックが必要となる。そして、乳房Ｘ線撮影中、患者に増大した快感を与えることによって、乳房Ｘ線撮影診療をすることの肯定的な承諾を得易い、つまり癌の早期発見に影響を与え、かつ、患者の生存率を向上させるためのよりよい診察結果を提供する改良された装置およびテクニックが必要となる。
【０００５】
そのような改良された装置は、放射線透過性でなければならず、また、Ｘ線画像のしまやばらつきを回避するために、比較的均質な材料から形成されなければならない。また、乳房Ｘ線撮影マシンでの乳房の正確な位置決めを可能にするために低い外形（low profile）を持たなければならず、また、衛生面から容易に洗浄されるか、または、使い捨てでなけれがならない。また、患者を構造的に支持できなければならないと共に、患者に快感を与えるようでなけらばならない（柔らかい触感と、より少ないざらざら感またはより少ない冷たい表面を提供することとの両方で）。加えて、そのような改良された装置は、患者に不快感を与えることなしに、乳房Ｘ線撮影中の乳房へのいっそう高い圧縮力の使用が可能でなければならない。そして、その結果、より薄い組織区分、より優れた像の品質および患者があびるＸ線量を軽減が得られなければならない。
【０００６】
この発明の目的は、患者により大きな快感を提供することであり、それによって、治療を行うことの承諾率を増大させることである（例えば、治療の不快感を軽減することによって、患者にいっそう定期的な乳房Ｘ線撮影を心地好く受けるようにさせる）。また、よりいっそう大きな患者の快感は、患者が動くこと（故意にまたは不本意に）の危険性を軽減する。患者が動くことによって引き起こされる動作の人為的結果または組織のずれは、乳房Ｘ線撮影の画像の明瞭度を悪くする。この発明の更なる目的は、使用できる圧縮力を、例えば、１６−１８圧縮ユニットまで増大させることであり、それによって、乳房Ｘ線撮影中の乳房組織のより薄い部分の断面を供給することができ、その結果、乳房Ｘ線撮影の画像で異常を発見することの可能性を増大させることである。これらの目的は、この発明のデザインや使用法によって実現できる。
【０００７】
【従来技術の記載】
様々な特許が、乳房Ｘ線撮影の技術分野で、かつ、Ｘ線画像撮影中に快感を提供する技術分野で発明を図解することによって開示されている。例えば、乳房Ｘ線撮影の分野で、米国特許３,９６３,９３３、４,６９１,３３３、４,９４３,９８６、５,１８９,６８６、５,５５３,１１１および５,３９８,２７２が、乳房圧縮のために有益な様々な取り付け具を開示している。更に、米国特許５,２２６,０７０（透過Ｘ線マット）、米国特許５,０８１,６５７（乳房Ｘ線撮影マシンのためのバッキーウォーマー（buckey warmer））、米国特許５,５４１,９７２（乳房Ｘ線撮影中の使用のための使い捨てパッド装置）および米国特許５,１８５,７７６（Ｘ線ケースのためのパッドカバー）のような特許が、通常のＸ線手続の最中に、快感を増強するための装置を開示している。
【０００８】
【発明の概要】
この発明では、Ｘ線撮影マシン（radiography machines）、蛍光透視ユニット（fluoroscopy unit）または乳房Ｘ線撮影ユニット等のような患者の組織の圧縮を必要とする装置上において、クッショニングするか、または、患者にここちよい表面を提供する改良方法および改良装置を提供する。特に、Ｘ線撮影または画像診断療法で使用される圧縮装置の少なくとも一つの表面に除去可能にくっつけられるパッド要素を提供する。
【０００９】
この発明の好適な実施形態では、パッドアセンブリは、パッド要素と、接着層と、はがし紙層から構成され、このパッドアセンブリは、適用表面に（乳房Ｘ線撮影パドルに、Ｘ線板にまたは患者の肌へ直接に）一時的に取り付けられる。
【００１０】
この発明の代わりの実施形態は、患者と患者の間に清潔にできるセルフスキンフォーム（self-skinned foam）の形状を有する再使用可能なクッションパドルを有する。この実施形態は、幾度かの使用の後、取りかえられるかもしれず、または、パッドの表面と圧縮表面とが一つのユニットとして一体型に形作られて組み立てられるかもしれない。
【００１１】
【発明の実施の形態】
圧縮下における乳房の像を取るのに使われる典型的で標準的な乳房Ｘ線撮影ユニットを図１に示す。このユニット１０は、Ｘ線照射源１３を備えた土台１２および回転Ｘ線照射源１１と、可動圧縮パドル１４およびＸ線板１５を有する。上記Ｘ線板１５は、図示しないフィルムカセットを保持すると共に、圧縮表面としても役立ち、この圧縮表面に対して上記可動圧縮パドル１４が、例えば、像が取られる乳房等の組織を圧縮することになる。「ブッキー（bucky）」として知られる配置がとられた典型的なＸ線板１５は、図２Ａに示すように、固定された状態になっており、かつ、開口１６を有している。Ｘ線カセット１７は、像が取られる前に上記開口１６の中に収容される。上記Ｘ線板は、患者に接触する二つの表面、すなわち、前部表面１８と機能表面（functional surface）１９とを有する。上記Ｘ線板１５は、機能表面１９の外辺部にオプションとして様々なマーキング機構（marking schemes）を手続中に利用することを可能にする放射線不透過性のマーカー１９Ａを有していても良い。
【００１２】
図２Ｂに、前部患者接触表面２０および機能患者接触表面２１を有する圧縮パドル１４の詳細な配置を示す。パドル１４は、典型的には、透き通った放射線透過性のプラスチックの材料から形成され、交換アセンブリ２２によって乳房Ｘ線撮影マシンの可動アーム（図示せず）に対して取り去り可能に取り付けられるようにデザインされている。これらのパドルは、患者の様々な解剖組織や乳房Ｘ線撮影に特有で必要なものを収容するために図３Ａ−図３Ｃに示すような様々な幾何学的な形状を取ることができ、例えば、円錐圧縮パドル（３Ａ）、スポット圧縮パドル（３Ｂ）および図３Ｃに示す腋窩パドル等の種類があり、全ては、上に示したような標準的な交換アセンブリ２２を通じて乳房Ｘ線撮影ユニットに取り付け可能な形状をしている。
【００１３】
同様に、上記Ｘ線カセットケースに、図４Ａに示すスポット圧縮部品４１や図４Ｂに示す拡大部品（magnification fitting）４２のような様々な付属部品ユニットを接合しても良い。全体の圧縮システム（圧縮パドルおよびＸ線板）を、更に図５に示すように定位生体検査手続に順応するように変形しても良い。この配置では、圧縮を行っている際、乳房における特定の位置を割り出すと共に、組織の生体検査を行うための装置を配置する目的で、圧縮パドル１４を、窓５１を有するように変形し、乳房への臨床医の接近を可能にしている。
【００１４】
この発明のパッドアセンブリーの好適な実施形態を図６Ａに示す。パッドアセンブリー６０は、パッド要素６１と、接着層６２と、はがし紙６３とを備え、このはがし紙６３は、当てられる表面に据え付けられる直前に接着層６２からはがされる。パッド要素６１を、以下の特徴を有する様々な材料で構成しても良い。これらの特徴は、パッド要素は、乳房Ｘ線撮影写真上に有意の可視のアーチファクトを形成せず（すなわち、Ｘ線透過性であり）、圧縮中に加えられる力の下で患者に快感を提供するように変形可能であるということである。更に、上記材料は、組織および圧縮表面へ適合するべきであり、そうすることにより材料は、Ｘ線像で見ることが十分可能な大きさになるかもしれないエアポケットまたは空気層が生成されるのを抑制することができる。加えて、上記材料が、汗のような外部流体を吸収することが望まれるかもしれない。
【００１５】
そのような材料は、エラストマー、ゲルまたはポリオレフィンで構成されたオープン（網目状の）セルフォウム（open cell form）またはクローズ（網目状ではない）セルフォウム（close cell form）であるかもしれず、または、好ましくは、放射線透過性の性質を有すると共に、柔らかい触感の肌ざわりを有するポリウレタンオープンセルフォウム（ポリウレタン合成樹脂でできた泡ゴム状のもの）であるかもしれない。１インチあたり約９０個の穴を有すると共に、５−６[ｌｂｓ．／ｃｕ ｆｔ]（ポンド／立方フィート）の密度を有するポリウレタンフォームは、特別に有益である。パッド材料６１は、．０５０’’から．５００’’の間の厚さ、好ましくは、．２００’’から．２５０’’の範囲の厚さを有する。もし、接着層が使用されるなら、接着層６２は、例えば、アクリルまたは合成ゴムのような目下利用されている圧力過敏性の様々な接着物（adhesives）のうちのひとつであるかもしれず、これらの接着物は、圧縮表面への安全な取り付けのために十分な粘着性を有すると共に、容易な除去（例えば、適用表面上における接着物の検出可能な残余部分がなくなるようにする事）や容易な配置ができるようになっている。代わりに、接着性がないゲルを、パッドを固定するのに使用しても良く、適用される表面に対して大きな摩擦係数を有する他の材料の層を固定するのに使用しても良い。接着層無しの状態で、すなわち、パッド要素と組織とユニットの圧縮面との間の摩擦によるパッド要素の使用を可能にするために、パッド要素が十分に「タッキー（粘着性がある）」になるようにパッド要素自身にテクスチャー加工を施すことは、この発明の範疇に含まれている。
【００１６】
図６Ａのパッド要素は、パッドの全面に接着物を有することが出きる形状に形づくられている。また、パッド要素を、輪郭に沿ったある領域のみに接着物を有する状態に形づくることもできる（図６Ｃ参照）。図６Ｂに、パッドアセンブリーを収容するための「剥離」包み（packet）配置を示す。この剥離包みは、オプションで、パッドを平面配置に維持することによってパッドの取り付けを助ける補強要素として役立つこともでき、その結果、パッドの不適切な適合（材料における意図的でないエアポケットや空気層を導く）の可能性を最小限にでき、かつ、適用表面にパッドを付着させる前にパッドの位置決めを容易にできる。
【００１７】
図７Ａに、この発明のパッドアセンブリ６０のフィルムケース１５への取り付けを段階的に示す。第１ステップは、パッドアセンブリー６０を収容しているパッキン材料を開くことから構成される（Ｓ１）。その後、パッドアセンブリ６０からはがし紙６３を取り除く（Ｓ２）。パッドアセンブリは、個々に、または、まとめて包装することができる。Ｘ線板１５の患者が接触する表面への取り付けを、Ｓ３およびＳ４に示す。Ｓ３は、機能表面１９上のパッド要素６１の配置を示し、そしてオプションで前部表面１８に広がっている。取り付けられたパッドを図７Ａに示している。図７ＢにＸ線板１５に取り付けられるパッド要素６１の他の実施形態を示している。ここで、パッドは、Ｘ線板の側面２３を覆うように広がった形状をしており、患者の快感を増すことができる。もっと特別なこととして、この実施形態のパッドは、接着層を有し、この接着層は、好ましくは、三つの部分から構成される。これら三つの部分は、パッド要素に接着層を固定するためのはぎとるのが難しい不変な接着物（high peel permanent adhesive）としての高い粘着性を有する部分と、Ｘ線板の患者と接触する表面に接着層を固定するための除去できる接着物としての低い粘着性を有する部分と、上記二つの接着物の間に配置されるポリウレタンのような拡張可能な支持材料の部分である。また、この発明によるパッドを、例えば、支持材料としてポリエステルを使用して同様な構成で形成しても良い。最後に、新たなパッド要素が、取り除かれた後配置されるかもしれず、次の患者のために一連の動作が繰り返されるかもしれない。適用表面の側面と前面の少なくとも一方にパッドを覆うように適合させるために、パッドの端から固定点の間にパッド要素に折り目を付けることが、または、供給することが望まれるかもしれない。
【００１８】
類似の一連のステップ（Ｓ１〜Ｓ４）を、図８Ａに示す。図８Ａは、圧縮パドル１４へのこの発明のパッドアセンブリ６０の取り付けを示している。図８Ｂのパッドアセンブリ（ＰＡ）は、パッドの一部分が圧縮パドルの側面２４を覆うような形状をしており、これによって患者の快感を増すことができる。
【００１９】
この発明のパッドをＸ線板１５と圧縮パドル１４の両方に取り付けても良く、または、どちらか片方に取り付けても良い。そして、更に、オプションで、望まれる付加的なクッション度によって、どちらの表面においても、前面および側面の少なくとも一方にこの発明のパッドを取り付けても良い。この発明に対する実験では、パッドが当てられていない圧縮表面と比較して、様々な形状全てで増大した快感を得ている。
【００２０】
パッドを使用した代わりのテクニックとして、パッドを乳房Ｘ線撮影マシン自体に取り付ける代わりに、患者の乳房に取り付けるというテクニックがある。このテクニック（図示せず）では、乳房を乳房Ｘ線撮影マシンに配置する前に、はがし紙を除去して圧縮を受ける組織の領域における乳房の上にパッドの接着側を直接配置する。
【００２１】
この発明の典型的な幾何形状を図９に示す。それらの幾何形状の中には、Ｘ線板１５に対するパッド要素（Ｇ１）、定位使用のための窓付きパッド要素（Ｇ２）、スポット圧縮パドル（Ｇ３）、円錐圧縮パドル（coned compression paddles）（Ｇ４）および腋窩パドル（axillary paddles）（Ｇ５）等が含まれる。
【００２２】
これらの形状は、商業的に利用できる圧縮パドルとＸ線ケースの様々な幾何形状を反映しており、この発明をサイズと形状において広い配列（array）で製造しても良い。この発明は、パッドアセンブリを含んでおり、ここで、パッドアセンブリの中のパッド要素は、モジューラ（ユニット）（例えば、要求される表面をカバーするのに一つのパッドより多くを使用する）になっているか、または、要求される表面（技師がパッドを適合するように切断するのを手引きする上掛パターン（overlay pattern）よりも大きい）に適合するために切断されている。
【００２３】
この発明の他の実施形態を図１０Ａ−図１０Ｃに示す。図１０Ａは、この発明のモジューラ（ユニット）配置を示し、パッドアセンブリは、セルフスキンフォーム（self-skinned form）（ＰＡ）、すなわち、ビニールのような不浸透性膜を有するフォームから構成されており、フレーム（図示せず）にそって配備され、圧縮パドルやＸ線板における機能表面ではない表面上で吸込みカップ、磁気リベットまたは接着物（ＡＤ）によって圧縮パドルに固定されている。パッドアセンブリのセルフスキン形状は、洗浄や殺菌を可能にし、それゆえに多数の患者に適用できる。
【００２４】
図１０Ｂは、スナップまたはリベット１１０によって、機能表面でない表面上のパドルにくっつけられたパッドアセンブリ（ＰＡ）を示している。図１０Ｃは、この発明の更なる他の実施形態であり、パッド１２０および圧縮パドル１２１は、一体型の一つのユニットになっている。図１０Ｄは、この発明の他の実施形態を示し、パッド１２２およびＸ線板１２３は、一体型の一つのユニットになっている。
【００２５】
図１１は、この発明のパッドアセンブリを収容し、かつ、分配するための分配ユニットを示している。分配ユニット１００は、ハウジング１０１を備え、このハウジング１０１は、多数のパッドアセンブリ１０３が、コンパクトな収納のために積み重ねられることを可能にする。また、分配ユニット１００は、アクセススロット１０２を備え、このアクセススロット１０２は、ユーザーが一回に一つのパッドアセンブリにアクセスすることを可能にする。示されているようにパッドアセンブルは、個々に包装されている。代わりに、パッドアセンブルは、ユーザー側での収納が容易になるように、まとめて（例えば、１ケースに対して４バッグ、１バッグに対して２５パッド）包装されるかもしれない。
【００２６】
今までこの発明の好適な実施形態について十分な記述を行ったけれども、様々な代替物、変形および同価値のものを使用しても良い。それゆえに、上記記述は、けっしてこの発明の範疇を制限するようなものではない。
【図面の簡単な説明】
【図１】  土台と、この土台に固定されて蝶番的に回転するＸ線ユニットとを備え、上記Ｘ線ユニットは、圧縮パドルおよびＸ線板を有している典型的な乳房Ｘ線撮影ユニットを示す図である。
【図２Ａ】  Ｘ線板の詳細な構成を示す図である。
【図２Ｂ】  圧縮パドルの詳細な構成を示す図である。
【図３Ａ】  標準的な乳房Ｘ線撮影マシンの乳房Ｘ線撮影中に利用できる圧縮パドルの様々な形状を示す図であり、患者の生体組織と医師によって望まれている視界の両方に依存した形状と大きさとを有する圧縮パドルを示す図である。
【図３Ｂ】  標準的な乳房Ｘ線撮影マシンの乳房Ｘ線撮影中に利用できる圧縮パドルの様々な形状を示す図であり、患者の生体組織と医師によって望まれている視界の両方に依存した形状と大きさとを有する圧縮パドルを示す図である。
【図３Ｃ】  標準的な乳房Ｘ線撮影マシンの乳房Ｘ線撮影中に利用できる圧縮パドルの様々な形状を示す図であり、患者の生体組織と医師によって望まれている視界の両方に依存した形状と大きさとを有する圧縮パドルを示す図である。
【図４Ａ】  像をはっきりさせるためにＸ線板に配置することができる様々な付属部品の中のスポット圧縮のための装置を示す図である。
【図４Ｂ】  像をはっきりさせるためにＸ線板に配置することができる様々な付属部品の中の拡大するための装置を示す図である。
【図５】  定位生体検査手続で使用するために形づくられた圧縮パドルとＸ線板を示す図である。
【図６Ａ】  パッド層、接着層およびはがし紙層を有するこの発明のパッドを示す図である。
【図６Ｂ】  パッド層、接着層およびはがし紙層を有するこの発明のパッドを示す図である。
【図６Ｃ】  パッド層、接着層およびはがし紙層を有するこの発明のパッドを示す図である。
【図７Ａ】  Ｘ線板へのこの発明のパッドの取り付けを示す図である。
【図７Ｂ】  Ｘ線板へのこの発明のパッドの取り付けを示す図である。
【図８】  圧縮パドル上へのこの発明のパッドの取り付けを示す図である。
【図９】  与えられた手続で使用される圧縮パドルやＸ線板ユニットの型に依存したこの発明の様々なパッド形状を示す図である。
【図１０Ａ】  この発明の代わりの実施形態を示す図であり、多数の患者に使用するように意図された圧縮パドルに固定されたセルフスキンフォームを示す図である。
【図１０Ｂ】  この発明の更なる代わりの実施形態を示す図であり、パッドと圧縮パドルが一つのユニットとして一体化されている図である。
【図１０Ｃ】  この発明の更なる代わりの実施形態を示す図であり、パッドと圧縮パドルが一つのユニットとして一体化されている図である。
【図１０Ｄ】  この発明の代わりの実施形態を示す図であり、パッドとＸ線板とが一体化されている図である。
【図１１】  この発明の更なる特徴を示す、すなわち、使用を容易にし効率的にするためにこの発明の使い捨てパッドを収納し、かつ、配置するための配置ユニットを示す図である。